(57)【要約】【課題】案内表示カードに案内情報を印字して次の行き先にユーザを案内することができるようにする。【解決手段】各ポイントにおいては、端末およびカードリーダライタにより、案内表示カード１００の裏面の可逆性感熱記録層１４に次の行き先までの案内図が表示記録される。案内図には、現在位置である第１ポイントＡと次の行き先である第２ポイントＢが図形「×」で表示記録され、さらに第１ポイントＡから第２ポイントＢまでの経路が矢印によって表示記録される。ユーザは、この案内図に基づいて、次の行き先まで迷うことなく行くことができる。【選択図】図２
2005107943.tif 000002
【特許請求の範囲】
【請求項１】
所定のエリア内での複数の行き先を案内する案内情報が記録される案内表示カードであって、
前記案内表示カードの表面および／または裏面に、次の行き先に案内するための前記案内情報が書き換え可能に印字される印字面を有する
ことを特徴とする案内表示カード。
【請求項２】
前記印字面には、前記案内情報として、少なくとも次の行き先への案内図が印字され、前記案内図上の現在位置に対応する位置に第１のマークが表示され、前記案内図上の前記次の行き先の位置に対応する位置に第２のマークが印字され、前記案内図上に前記現在位置から前記次の行き先までの経路を示す第３のマークが印字される
ことを特徴とする請求項１に記載の案内表示カード。
【請求項３】
前記第３のマークは、前記現在位置から前記次の行き先までの経路を示す矢印である
ことを特徴とする請求項２に記載の案内表示カード。
【請求項４】
接触または非接触のＩＣチップを有し、前記ＩＣチップに前記案内情報が記憶される
ことを特徴とする請求項１乃至３のいずれかに記載の案内表示カード。
【請求項５】
前記案内図は、印刷によって表示された固定情報と書き換え可能に印字された書き換え情報とで構成される
ことを特徴とする請求項２乃至４のいずれかに記載の案内表示カード。
【請求項６】
前記固定情報と前記書き換え情報とは、前記印字面にそれぞれ異なる色で表示される
ことを特徴とする請求項５に記載の案内表示カード。
【請求項７】
所定のエリア内での複数の行き先を案内する案内情報が記録される案内表示カードを用いた案内表示カードシステムであって、
前記案内表示カードの表面および／または裏面には、次の行き先に案内するための前記案内情報が書き換え可能に印字される印字面が設けられ、
前記印字面に、次の行き先に移動する毎に新たな次の行き先を案内する案内情報を書き換えて表示記録する表示記録手段を備える
ことを特徴とする案内表示カードシステム。
【発明の詳細な説明】
【技術分野】
【０００１】
本発明は案内表示カードおよび案内表示カードシステムに関し、特に、次の行き先へ案内する案内情報が書き換え可能に表示記録される案内表示カードおよび案内表示カードシステムに関する。
【背景技術】
【０００２】
従来、病院内や図書館、イベント会場などにおいては、施設や地域（エリア）内の地図を表示した案内図が配布され、施設や地域内を移動する人の便宜が図られている。最近では磁気カードやＩＣカード上に案内図を表示し、繰り返し使用可能にしたものが用いられている。このようなカードには、磁気カード又はＩＣカードのカード基体上に、案内図と行き先を表示する書き換え可能表示部とを設けた構成の行き先案内表示付カードが知られている（特許文献１参照）。上記のカードは、施設内の全体図に部屋番号を付けて印刷により表示を行うようになっている。また、書き換え可能な可逆性表示部を有するカードであって、可逆性表示部に目的物の位置または目的場所に関する案内情報が書き換え可能に表示してなるカードと、可逆性表示部にデータベースから検索された情報を書き換え可能に記録表示する表示手段を有するカードリーダライタを備える案内情報表示システムが知られている（特許文献２参照）。上記のカードは、カードの可逆性表示部に、例えば図書館における配置図、利用者の現在位置、目的の書籍がおいてある書棚の位置、現在位置からその書棚までの矢印等による進路表示、などのイメージ情報が表示されている。
【特許文献１】特開平１０−４４６５８号公報
【特許文献２】特開２００１−１０２６１号公報
【発明の開示】
【発明が解決しようとする課題】
【０００３】
しかしながら、ある特定の施設や地域（エリア）内における複数の訪問場所（行き先）を経由しながら移動を行う場合、限られた表示スペースに多くの訪問場所を表示するのでは、図面の表示が細かくなって見にくくなるという問題がある。特に人間ドックなどのように、あらかじめ定められた訪問場所を行き来を繰り返しながら訪問するような場合には、案内図上に順番や経路を示す矢印などの表示を行うと表示が錯綜し、次の行き先に戸惑う恐れがあった。一方、スタンプラリーやオリエンテーリングのように、次の訪問場所のみが分かっており、その先の訪問場所は前記した次の訪問場所へ移動して初めて決まるような場合においては、案内図には少なくとも現在地と次の訪問場所が経路などと共に表示されていれば十分であり、現在場所と次の訪問場所とが全体図の中に表示されているのではかえって分かり難くなるという問題があった。
【０００４】
本発明はこのような状況に鑑みてなされたものであり、案内表示カードに案内図を書き換え可能に表示記録することにより、効率よく目的地まで案内することができるようにするものである。
【課題を解決するための手段】
【０００５】
請求項１に記載の案内表示カードは、所定のエリア内での複数の行き先を案内する案内情報が記録される案内表示カードであって、前記案内表示カードの表面および／または裏面に、次の行き先に案内するための前記案内情報が書き換え可能に印字される印字面を有することを特徴とする。
また、前記印字面には、前記案内情報として、少なくとも次の行き先への案内図が印字され、前記案内図上の現在位置に対応する位置に第１のマークが表示され、前記案内図上の前記次の行き先の位置に対応する位置に第２のマークが印字され、前記案内図上に前記現在位置から前記次の行き先までの経路を示す第３のマークが印字されるようにすることができる。
また、第３のマークは、前記現在位置から前記次の行き先までの経路を示す矢印であるようにすることができる。
また、接触または非接触のＩＣチップを有し、前記ＩＣチップに前記案内情報が記憶されるようにすることができる。
また、前記案内図は、印刷によって表示された固定情報と書き換え可能に印字された書き換え情報とで構成されるようにすることができる。
また、前記固定情報と前記書き換え情報とは、前記印字面にそれぞれ異なる色で表示されるようにすることができる。
請求項７に記載の案内表示カードシステムは、所定のエリア内での複数の行き先を案内する案内情報が記録される案内表示カードを用いた案内表示カードシステムであって、前記案内表示カードの表面および／または裏面には、次の行き先に案内するための前記案内情報が書き換え可能に印字される印字面が設けられ、前記印字面に、次の行き先に移動する毎に新たな次の行き先を案内する案内情報を書き換えて表示記録する表示記録手段を備えることを特徴とする。
【発明の効果】
【０００６】
本発明の案内表示カードによれば、案内表示カードの表面および／または裏面に次の行き先に案内するための案内情報が書き換え可能に印字される印字面を有するようにしたので、案内表示カードを用いて次に行くべき場所を案内することができる。
また、印字面に、案内情報として、少なくとも次の行き先への案内図が印字され、案内図上の現在位置に対応する位置に第１のマークが表示され、案内図上の次の行き先の位置に対応する位置に第２のマークが印字され、案内図上に現在位置から次の行き先までの経路を示す第３のマークが印字されるようにすれば、現在位置と次の行き先の位置関係を視覚的に把握することができる。
また、第３のマークを現在位置から次の行き先までの経路を示す矢印とすれば、矢印に従って移動するだけで次の行き先に到達することができる。
【発明を実施するための最良の形態】
【０００７】
図１は、本発明が適用される案内表示カード１００の表面の可逆性感熱記録層１１にユーザ情報が書き換え可能に表示記録された例を示している。この例では、案内表示カード１００の表面の可逆性感熱記録層１１には、カードの名称である「案内表示カード」と、ユーザのＩＤ番号「１２３４５６」と、案内表示カード１００の発行日「２００３年０８月２０日」と、ユーザの名前「佐藤太郎」と、ユーザの性別「男」と、ユーザの生年月日「昭和４３年０３月１０日」と、カード発行者の名称「佐藤クラブ」と、その所在地「東京都渋谷区恵比寿４−９−１０」が書き換え可能に表示記録されている。また、案内表示カード１００の可逆性感熱記録層１１の下層には、磁気記録層１２が設けられており、ユーザ情報やその他の各種情報を記録再生することができるようになっている。図１では磁気記録層１２を案内表示カード１００の内部に形成するようにしたが、案内表示カード１００の表面に形成することもできる。
【０００８】
この案内表示カード１００は、後述する各地点（ポイント）に設置された端末３０に接続されたカードリーダライタ４０によって、可逆性感熱記録層１１への各種情報の書き換え可能な表示記録が可能であり、また、磁気記録層１２に対する各種情報の記録および読み取りが可能となっている。
【０００９】
図２は、案内表示カード１００の裏面の可逆性感熱記録層１４に案内図が表示記録された例を示している。この例では、案内表示カード１００の裏面の可逆性感熱記録層１４には、ユーザがいる現在位置である第１ポイントＡから次の行き先である第２ポイントＢまでの経路を示す案内図が書き換え可能に表示記録されている。案内表示カード１００を所持するユーザは、案内表示カード１００の裏面の可逆性感熱記録層１４に書き換え可能に表示記録された案内図を見て、現在位置である第１ポイントＡから次の行き先である第２ポイントＢに迷うことなく行くことができる。
【００１０】
図１に示した案内表示カード１００の表面の可逆性感熱記録層１１、および図２に示した案内表示カード１００の裏面の可逆性感熱記録層１４は、それぞれ可視情報を外部エネルギーによって繰り返し書き換え可能な可逆表示素子から構成されている。可逆表示素子としては、外部エネルギーである熱、電解、磁界等を使用して可視情報を可逆的に繰り返し書き換えることができる一般的に知られたものを用いることができる。ここでは、熱によって可視情報を可逆的に繰り返し書き換え可能な一般的な可逆表示素子を用いているが、ここでは可逆表示素子の構成についての詳細な説明は省略する。
【００１１】
図３は、図１の案内表示カード１００のＡ−Ａ線断面図である。同図に示すように、案内表示カード１００は、カード基材層１３の一方の面に磁気記録層１２が埋め込まれるように形成され、その面上にさらに可逆性感熱記録層１１が形成され、カード基材層１３の他方の面上に可逆性感熱記録層１４が形成された構成となっている。
【００１２】
図４は、本発明の案内表示カード１００を用いた案内表示カードシステムの一実施の形態の構成例を示すブロック図である。同図に示すように、本実施の形態は、各地点（ポイント）に設置された端末３０−１乃至３０−６（以下では、端末３０−１乃至３０−６を特に区別する必要がない場合、適宜単に端末３０と記載する）と、各端末３０から送信されてきた情報を一括管理するとともに、各端末３０に各種情報を提供するホストコンピュータ２００とから構成されている。ホストコンピュータ２００と端末３０−１乃至３０−６は、インターネットやＬＡＮ（ｌｏｃａｌ  ａｒｅａ  ｎｅｔｗｏｒｋ）等のネットワーク３００で接続され、各種情報を送受信することができるようになっている。また、端末３０−１乃至３０−６には、後述するリーダライタ４０−１乃至４０−６がそれぞれ接続されている。
【００１３】
ホストコンピュータ２００は、各種情報やコマンドを入力するための入力部２０１と、各種情報を表示する表示部２０２と、各部を制御する制御部２０３と、ネットワーク３００を介した各端末３０との間の通信を制御する通信制御部２０４と、ユーザを次の行き先に案内するための案内情報、案内図等を記憶する記憶装置２０５等により構成されている。
【００１４】
図５は、端末３０−１の構成例を示すブロック図である。同図に示すように、端末３０−１には、案内表示カード１００の磁気記録層１２（図１）に対して各種情報の書き込みおよび読み出しを行うとともに、案内表示カード１００の表面と裏面に形成された可逆性感熱記録層１１，１４にそれぞれ各種情報を書き換え可能に記録するカードリーダライタ４０−１が接続されている。
【００１５】
端末３０−１は、各種データやコマンドを入力するための入力部３１−１と、各種情報を表示する表示部３２−１と、各部を制御する制御部３３−１と、ネットワーク３００を介したホストコンピュータ２００との間の通信を制御する通信制御部３４−１と、各種情報を記憶する記憶装置３５−１と、インタフェース３６−１等により構成され、制御部３３−１は、インタフェース３６−１を介してカードリーダライタ４０−１に、案内表示カード１００の可逆性感熱記録層１１，１４に表示記録すべき情報や、磁気記録層１２に記録すべき情報を送信し、カードリーダライタ４０−１によって読み出された案内表示カード１００の磁気記録層１２に記録されている情報を、インタフェース３６−１を介して受け取るようになっている。なお、その他の端末３０−２乃至３０−６の構成および機能は、端末３０−１の構成および機能と同様であるのでその図示および機能の詳細な説明は省略する。
【００１６】
図６は、各端末３０およびホストコンピュータ２００が各ポイントに配置された様子を示している。同図に示すように、端末３０−１およびカードリーダライタ４０−１は第１ポイントＡに設置され、端末３０−２およびカードリーダライタ４０−２は第２ポイントＢに設置され、端末３０−３およびカードリーダライタ４０−３は第３ポイントＣに設置され、端末３０−４およびカードリーダライタ４０−４は第４ポイントＤに設置され、端末３０−５およびカードリーダライタ４０−５は第５ポイントＥに設置され、端末３０−６およびカードリーダライタ４０−６は第６ポイントＦに設置されている。
【００１７】
いま、ユーザが、第１ポイントＡから第２ポイントＢに移動する場合、第１ポイントＡに設置された端末３０−１に接続されたカードリーダライタ４０−１に案内表示カード１００を挿入すると、案内表示カード１００の磁気記録層１２に記録されたユーザ情報等が読み出され、端末３０−１のインタフェース３６−１を介して制御部３３−１に供給される。制御部３３−１は、このユーザ情報等をネットワーク３００を介してホストコンピュータ２００に送信する。
【００１８】
ホストコンピュータ２００は、端末３０−１から送信されてきたユーザ情報を受信すると、そのユーザが次に行くべき地点（いまの場合、第２ポイントＢ）までの案内図を示すデータを記憶装置２０５から読み出し、ネットワーク３００を介して端末３０−１に送信する。端末３０−１の制御部３３−１は、ホストコンピュータ２００からネットワーク３００を介して提供された案内図をインタフェース３６−１を介して受信すると、受信した案内図を示すデータをカードリーダライタ４０−１に供給し、案内表示カード１００の裏面の可逆性感熱記録層１４に表示記録するよう指令する。
【００１９】
カードリーダライタ４０−１は、制御部３３−１からの指令に基づいて、制御部３３−１から供給された例えば図２に示すような案内図を、案内表示カード１００の裏面の可逆性感熱記録層１４に書き換え可能に表示記録する。
【００２０】
次に、ユーザは、案内表示カード１００の裏面の可逆性感熱記録層１４に表示記録された案内図に従って第２ポイントＢに行く。案内図には、図２に示すように、現在位置である第１ポイントＡを示す図形（この例では「×」印）と、次の行き先である第２ポイントＢを示す図形（この例では「×」印）の他に、第１ポイントＡから第２ポイントＢまでの経路を示す矢印を表示記録することができる。
【００２１】
ユーザが第２ポイントＢに到着した後、第２ポイントＢに設置された端末３０−２に接続されたリーダライタ４０−２に案内表示カード１００を挿入すると、カードリーダライタ４０−２によって案内表示カード１００の磁気記録層１２に記録されたユーザ情報等が読み出され、端末３０−２の制御部３３−２にインタフェース３６−２を介して供給される。端末３０−２の制御部３３−２は、このユーザ情報等をネットワーク３００を介してホストコンピュータ２００に送信する。
【００２２】
ホストコンピュータ２００は、端末３０−２から送信されてきたユーザ情報を受信すると、そのユーザが次に行くべき地点（いまの場合、第３ポイントＢ）までの案内図を示すデータを記憶装置２０５から読み出し、ネットワーク３００を介して端末３０−２に送信する。端末３０−２の制御部３３−２は、ホストコンピュータ２００からネットワーク３００を介して提供された案内図をインタフェース３６−２を介して受信すると、受信した案内図を示すデータをカードリーダライタ４０−２に供給し、案内表示カード１００の裏面の可逆性感熱記録層１４に表示記録するよう指令する。
【００２３】
カードリーダライタ４０−２は、制御部３３−２からの指令に基づいて、制御部３３−２から供給された案内図を、案内表示カード１００の裏面の可逆性感熱記録層１４に書き換え可能に表示記録する。
【００２４】
以下同様にして、案内表示カード１００の裏面の可逆性感熱記録層１４に次の行き先までの案内図が表示記録されるので、ユーザは、この案内図に基づいて次の行き先まで迷うことなく行くことができる。
【００２５】
図７は、本発明の案内表示カードの他の実施の形態を示している。同図に示すように、本発明の他の実施の形態である案内表示カード４００は、図１に示した案内表示カード１００の磁気記録層１２に代えて、電波等によって接触または非接触で外部機器と通信を行い、ユーザ情報やその他の各種情報の送受信を行うとともに、各種情報を記録再生することができるＩＣ（ｉｎｔｅｇｒａｔｅｄ  ｃｉｒｃｕｉｔ）チップ４０１が埋め込まれた構成となっている。ＩＣチップ４０１を用いた場合、磁気記録層１２と比較して、より多くのデータを記録再生することができるという利点がある。
【００２６】
以下では、案内表示カード４００を用い、図６に示した第１ポイントＡからスタートし、第２ポイントＢ、第３ポイントＣ、第４ポイントＤ、第５ポイントＥ、第６ポイントＦの順で各ポイントを巡るものとする。また、各端末３０に接続されたカードリーダライタ４０は、案内表示カード４００に埋め込まれたＩＣチップ４０１に対して、ユーザ情報、案内図を示すデータ、その他の各種情報を記録再生する機能を有しているものとする。
【００２７】
まず最初に、ユーザがスタートポイントである第１ポイントＡに設置された端末３０−１に接続されたカードリーダライタ４０−１に案内表示カード４００を挿入すると、案内表示カード４００のＩＣチップ４０１に記録されたユーザ情報等が読み出され、端末３０−１のインタフェース３６−１を介して制御部３３−１に供給される。制御部３３−１は、このユーザ情報等をネットワーク３００を介してホストコンピュータ２００に送信する。
【００２８】
ホストコンピュータ２００は、端末３０−１から送信されてきたユーザ情報を受信すると、そのユーザが巡るエリアの全体の案内図を示すデータを記憶装置２０５から読み出し、ネットワーク３００を介して端末３０−１に送信する。端末３０−１の制御部３３−１は、ホストコンピュータ２００からネットワーク３００を介して提供されたそのエリアの全体の案内図を示すデータをインタフェース３６−１を介して受信すると、受信したそのエリアの全体の案内図を示すデータをカードリーダライタ４０−１に供給し、案内表示カード４００のＩＣチップ４０１に記録するとともに、案内表示カード３００の表面の可逆性感熱記録層１１に書き換え可能に表示記録するよう指令する。
【００２９】
カードリーダライタ４０−１は、制御部３３−１からの指令に基づいて、制御部３３−１から供給されたそのエリアの全体の案内図を示すデータを案内表示カード４００のＩＣチップ４０１に記録し、そのエリアの全体の案内図を案内表示カード４００の表面の可逆性感熱記録層１１に表示記録する。図８は、案内表示カード４００の表面の可逆性感熱記録層１１にそのエリアの全体の案内図が表示記録された例を示している。このように、エリア全体の地図と、各ポイントを示す記号が表示記録されている。この例では、ＩＣチップ４０１に記録されるデータは、例えば図６に示すような、そのエリアの地図データと、各ポイントＡ乃至Ｆの地図上での位置と、各ポイントＡ乃至Ｆに設置された各端末３０を特定するデータとを含む。
【００３０】
次に、制御部３３−１は、カードリーダライタ４０−１に対して、第１ポイントＡから第２ポイントＢまでの経路を示す案内図を、案内表示カード４００の裏面の可逆性感熱記録層１４に書き換え可能に表示記録するよう指令する。この指令を受けたカードリーダライタ４０−１は、ＩＣチップ４０１に記録されたそのエリアの全体の案内図に基づき、図９に示すように、第１ポイントＡから第２ポイントＢまでの経路を示す詳細な案内図を案内表示カード４００の裏面の可逆性感熱記録層１４に書き換え可能に表示記録する。
【００３１】
次に、ユーザは、案内表示カード４００の裏面の可逆性感熱記録層１４に表示記録された案内図に従って第２ポイントＢに行く。案内図には、図８に示すように、現在位置である第１ポイントＡを示す図形（この例では「×」印）と、次の行き先である第２ポイントＢを示す図形（この例では「×」印）の他に、第１ポイントＡから第２ポイントＢまでの経路を示す矢印を表示記録することができる。
【００３２】
ユーザが第２ポイントＢに到着した後、第２ポイントＢに設置された端末３０−２に接続されたリーダライタ４０−２に案内表示カード４００を挿入すると、カードリーダライタ４０−２によって案内表示カード４００のＩＣチップ４０１に記録されたユーザ情報、そのエリアの全体の案内図を示すデータ等が読み出され、端末３０−２の制御部３３−２にインタフェース３６−２を介して供給される。端末３０−２の制御部３３−２は、このユーザ情報等をネットワーク３００を介してホストコンピュータ２００に送信する。
【００３３】
次に、端末３０−２の制御部３３−２は、案内表示カード４００のＩＣチップ４０１に記録されているそのエリアの全体の案内図に基づき、第２ポイントＢから次の経由地である第３ポイントＣまでの詳細な案内図を作成し、カードリーダライタ４０−２に供給し、第２ポイントＢから次の経由地である第３ポイントＣまでの案内図を案内表示カード４００の裏面の可逆性感熱記録層１４に表示記録するよう指令する。この指令を受けたカードリーダライタ４０−２は、制御部３３−２より供給された詳細な案内図を案内表示カード４００の裏面の可逆性感熱記録層１４に書き換え可能に表示記録する。図１０は、案内表示カード４００の裏面の可逆性感熱記録層１４に、第２ポイントＢから次の経由地である第３ポイントＣまでの詳細な案内図が表示記録された例を示している。
【００３４】
次に、ユーザは、案内表示カード４００の裏面の可逆性感熱記録層１４に表示記録された案内図に従って第２ポイントＢから第３ポイントＣに行く。案内図には、図１０に示すように、現在位置である第２ポイントＢを示す図形（この例では「×」印）と、次の行き先である第３ポイントＣを示す図形（この例では「×」印）の他に、第２ポイントＢから第３ポイントＣまでの経路を示す矢印を表示記録することができる。
【００３５】
以下同様にして、案内表示カード４００の裏面の可逆性感熱記録層１４に現在位置から次の行き先までの詳細な案内図が表示記録されるので、ユーザは、この案内図に基づいて次の行き先まで迷うことなく行くことができる。
【００３６】
この例では、案内表示カード４００の表面にそのエリアの全体の案内図を表示し、裏面に、現在位置と次の行き先を含むより詳細な案内図を表示し、現在位置から次の行き先までの経路を矢印で表示するようにしたが、案内表示カード４００の表面および裏面のいずれか一方に、図１１に示すように、そのエリアの全体の案内図と、ユーザの現在位置から次の行き先までを含む詳細な案内図を並べて表示記録するようにすることもできる。ここでは、そのエリアの全体の案内図を上段に表示記録し、第２ポイントＢから第３ポイントＣまでの詳細な案内図を下段に表示記録している。
【００３７】
或いは、スタートポイントである第１ポイントＡにおいて、そのエリアの全体の案内図と、第１ポイントＡから第２ポイントＢまでの詳細な案内図を並べて表示し、第２ポイントＢから第３ポイントＣまでの案内図、第３ポイントＣから第４ポイントＤまでの案内図、第４ポイントＤから第５ポイントＥまでの案内図は、図１０に示すように、そのエリアの全体の案内図は表示記録せず、詳細な案内図のみ表示し、第５ポイントＥから終点である第６ポイントＦまでの案内図は、そのエリアの全体の案内図と第５ポイントＥから終点である第６ポイントＦまでの詳細な案内図を並べて表示記録することができる。
【００３８】
また、終点である第６ポイントにおいて、ユーザが経由した全てのポイントを案内図に表示記録することができる。これにより、ユーザが実際に経由した経由ポイントを知ることができる。また、ユーザはどのポイントを実際に経由したかを証明することができる。各ポイントにおいて、案内表示カード４００のユーザ情報を読み取った各端末３０は、そのユーザ情報をホストコンピュータ２００にネットワーク３００を介して送信するので、ホストコンピュータ２００は、各ユーザの経由ポイントを把握することができる。従って、終点である第６ポイントＦに設置された端末３０−６は、ホストコンピュータ２００からユーザが実際に経由したポイントを示すデータを受け取り、案内表示カード４００の表面または裏面に表示記録することができる。
【００３９】
本実施の形態は、例えば、スタンプラリー等に用いることができる。各ポイントに端末３０を配置して、参加者に予め案内表示カード１００または４００を発行しておき、参加者が各ポイントに到着し、そこに設置された端末３０に接続されたカードリーダライタ４０に案内表示カード１００を挿入すると、次のポイントまでの案内図が表示記録される。従って、参加者は、案内図に基づいて迷うことなく次のポイントに行くことができる。その他、ある地点から次の地点に案内する必要がある様々な場合に、本実施の形態を適用することができる。
【００４０】
また、上記実施の形態において、各ポイント設置された端末数等は例であって上記実施の形態に限定されるものではない。
【００４１】
また、上記実施の形態においては、ホストコンピュータ２００が情報を一括管理し、各端末にその情報を提供する構成としたが、端末３０同士が情報のやり取りを行うような構成、或いは各端末３０がスタンドアロンで動作する構成としてもよい。その場合、各端末３０の記憶装置３５に、各ユーザのユーザ情報や案内図等の各種データを記憶させておくようにする必要がある。
【００４２】
また、上記実施の形態においては、各ポイントを図形「×」で表すようにしたが、その他の図形を用いることもできる。また、現在位置を示す図形の形状や色を、次の行き先を示す図形の形状や色と異なるようにすることもできる。さらに、所定のポイントから次のポイントまでの経路を矢印で表すようにしたが、その他の図形を用いてもよい。
【００４３】
また、案内表示カード１００および４００にそのエリアの全体の案内図を表示記録する場合、書き換えが不要な部分を印刷によって記録し、書き換えが必要な各ポイントを示す図形（この例では「×」）や経路を示す図形（この例では矢印）等を書き換え可能に表示記録するようにしてもよい。また、印刷によって記録した部分の色と、書き換え可能に表示記録した部分の色が互いに異なるようにすることもできる。また、現在位置と行き先とを異なる形状や色で表示記録することもできる。
【００４４】
また、行き先に迷った場合は、近くの端末３０に接続されたリーダライタ４０に案内表示カード１００または４００を挿入すると、カードリーダライタ４０によって案内表示カードに記録されたユーザ情報が読み出されてホストコンピュータ２００に送信され、制御部３３は、ホストコンピュータ２００から読み出した地図情報等に基づいて、現在位置から次の行き先までの案内図を含む印字データを作成し、インタフェース３６を介してカードリーダライタ４０に供給する。カードリーダライタ４０は、端末３０の制御部３３から供給された印字データを案内表示カード１００または４００の裏面に書き換え可能に表示記録する。このようにして現在位置から次の行き先までの案内図を改めて表示することが可能となる。
【００４５】
このとき、ホストコンピュータ２００は、各端末３０から送られてくるユーザ情報に基づいて各ユーザの位置および経由ポイントを把握しているので、次の正しい行き先に案内する案内図を端末３０に送信し、ユーザを次の行き先に案内することができる。各ポイントを巡る順番が予め決められている場合には、その順番でユーザを案内する。また、順番が決められていない場合には、まだユーザが経由していない最も近いポイントへ案内するための案内図を端末３０に送信する。
【００４６】
また、案内表示カード４００を用いる場合、各端末３０が、ホストコンピュータ２００とは独立して、ＩＣチップ４０１から読み取った地図情報と経由ポイントを示す情報に基づいて、次の行き先への案内図を作成し、カードリーダライタ４０を介して案内情報カード４００の裏面に表示記録するようにすることもできる。その場合、各ポイントを巡る順番が予め決められている場合には、その順番でユーザを案内するための案内図を案内表示カード４００の裏面に書き換え可能に表示記録し、順番が決められていない場合には、まだユーザが経由していない最も近いポイントへ案内するための案内図を作成し、カードリーダライタ４０を介して案内情報カード４００の裏面に書き換え可能に表示記録する。
【００４７】
また、上記実施の形態の構成および動作は例であって、本発明の趣旨を逸脱しない範囲で適宜変更することができることは言うまでもない。
【図面の簡単な説明】
【００４８】
【図１】本発明の案内表示カードの一実施の形態の表面の表示記録例を示す図である。
【図２】図１の実施の形態の裏面の表示記録例を示す図である。
【図３】図１の実施の形態のＡ−Ａ線断面図を示す図である。
【図４】本発明を応用した案内表示カードシステムの一実施の形態の構成例を示すブロック図である。
【図５】図４の端末の一実施の形態の構成例を示すブロック図である。
【図６】各端末およびホストコンピュータの設置例を示す図である。
【図７】本発明の案内表示カードの他の実施の形態の構成例を示す図である。
【図８】図７の実施の形態の表面に表示された全体の案内図を示す図である。
【図９】図７の実施の形態の裏面に表示された詳細な案内図を示す図である。
【図１０】図７の実施の形態の裏面に表示された詳細な案内図を示す図である。
【図１１】図７の実施の形態の裏面に並べて表示された全体の案内図と詳細な案内図を示す図である。
【符号の説明】
【００４９】
１１，１４  可逆性感熱記録層
１２  磁気記録層
１３  カード基材層
３０−１乃至３０−６  端末
３１−１，２０１  入力部
３２−１，２０２  表示部
３３−１，２０３  制御部
３４−１，２０４  通信制御部
３５−１，２０５  記憶装置
３６−１  インタフェース
４０−１乃至４０−６  カードリーダライタ
１００，４００  案内表示カード
２００  ホストコンピュータ
３００  ネットワーク
４０１  ＩＣチップ
【図１】
2005107943.tif 000003
【図２】
2005107943.tif 000004
【図３】
2005107943.tif 000005
【図４】
2005107943.tif 000006
【図５】
2005107943.tif 000007
【図６】
2005107943.tif 000008
【図７】
2005107943.tif 000009
【図８】
2005107943.tif 000010
【図９】
2005107943.tif 000011
【図１０】
2005107943.tif 000012
【図１１】
2005107943.tif 000013